(57)【要約】【課題】仮想世界経由のコミュニケーションの際に対面式で得られる情報交流や人間関係の形成を好適にサポートする。【解決手段】メモリを内蔵させたユーザ携行型の機器を媒介として、ユーザの個人情報あるいはその他のユーザに関連する実世界情報を機器に逐次取り込んでいくとともに、その機器からデータを取り出して、他のユーザの機器からのデータとの一致検索を行なうことにより、仮想世界経由で実世界相当の情報交流や人間形成をサポートする。例えば、同世代又は異世代間の出会いの場を与えたり、就職・転職活動や結婚相手探しのための伝言板の構築に利用したりする。【選択図】  図１
2006294024.tif 000002
【特許請求の範囲】
【請求項１】
それぞれユーザ端末を携行する複数のユーザ間で情報交流や人間関係の形成を支援する情報交流・人間関係形成支援システムであって、
前記ユーザ端末に備えられた、少なくともユーザの置かれた環境に応じた属性を示すメタデータを取得するメタデータ取得手段と、メタデータを記憶するメタデータ記憶手段と、
２以上のユーザ端末からメタデータを取得するメタデータ取得手段と、該取得したメタデータに対応した属性に応じてメタデータ間の一致検索結果を行なう一致検索手段と、該一致検索の結果を提示する一致検索結果提示手段を備えたマッチング装置と、
を具備することを特徴とする情報交流・人間関係形成支援システム。
【請求項２】
ユーザが携行して用いられ、情報交流や人間関係の形成を支援する情報通信装置であって、
データを送受信する通信部と、
前記通信部を介して、少なくともユーザの置かれた環境に応じた属性情報を示すメタデータを取得するメタデータ取得部と、
取得したメタデータを記憶するメタデータ記憶部と、
前記メタデータ記憶部へのメタデータの保管を管理する中央制御部を備え、
前記メタデータ記憶部は、セキュリティ・レベル及びカテゴリ毎に区分された複数の格納領域を有し、
前記中央制御部は、前記メタデータ取得部により取得したメタデータの属性、セキュリティ・レベル、又はカテゴリのうち少なくとも１つに基づいて格納領域を特定し、該特定された格納領域内に該メタデータを格納するとともに、前記通信部を介した外部からのアクセス要求に応じて、セキュリティ・レベル又はカテゴリが適合する格納領域からメタデータを取り出して供給する、
ことを特徴とする情報通信装置。
【請求項３】
実世界上の空間に設置されたメタデータの送信装置が所定の通信範囲内でデータを送信し、
メタデータは、前記送信装置が設置されている空間に位置を示す位置情報、並びに前記送信装置が設置されている空間の属性を示す情報を含む、
ことを特徴とする請求項２に記載の情報通信装置。
【請求項４】
実世界上の空間に設置されたメタデータの送信装置は、所定の通信範囲内でデータを送信するとともに所定のコンテンツ・データを処理する機能を備え、
前記メタデータは、前記送信装置により処理されているコンテンツ・データの属性を示す情報である、
ことを特徴とする請求項２に記載の情報通信装置。
【請求項５】
前記メタデータ記憶部にユーザがメタデータを直接書き込むためのユーザ入力部をさらに備える、
ことを特徴とする請求項２に記載の情報通信装置。
【請求項６】
前記メタデータ記憶部に格納されているユーザの過去情報に基づいて、ユーザに対応した仮想的な人格を育成する仮想人格育成手段をさらに備える、
ことを特徴とする請求項２に記載の情報通信装置。
【請求項７】
前記メタデータ記憶部から取り出したメタデータを要求元が要求するフォーマットに変換するフォーマット設定部をさらに備える、
ことを特徴とする請求項２に記載の情報通信装置。
【請求項８】
前記フォーマット設定手段は、履歴書に対応したフォーマットにてメタデータを変換する、
ことを特徴とする請求項７に記載の情報通信装置。
【請求項９】
複数のユーザ間で情報交流や人間関係の形成を支援する情報交流・人間関係形成支援装置であって、
２以上のユーザから、少なくともユーザの置かれた環境に応じた属性を記述したメタデータを、適合するセキュリティ・レベル及びカテゴリに対応した属性に基づいて取得するメタデータ取得手段と、
該取得したメタデータに対応した属性に応じてメタデータ間の一致検索結果を行なう一致検索手段と、
該一致検索の結果を提示する一致検索結果提示手段と、
を具備することを特徴とする情報交流・人間関係形成支援装置。
【請求項１０】
ユーザが携行して用いられる通信機能付きのユーザ端末を用いて情報交流や人間関係の形成を支援するための処理をコンピュータ上で実行するようにコンピュータ可読形式で記述されたコンピュータ・プログラムであって、前記コンピュータに対し、
前記通信機能を介して、少なくともユーザの置かれた環境に応じた属性情報を示すメタデータを取得するメタデータ取得手順と、
取得したメタデータを記憶するメタデータ記憶手順と、
記憶したメタデータの保管を管理する中央制御手順を実行させ、
前記メタデータ記憶手順では、セキュリティ・レベル及びカテゴリ毎に区分された複数の格納領域のいずれかにメタデータを記憶し、
前記中央制御手順では、前記メタデータ取得手順において取得したメタデータの属性、セキュリティ・レベル、又はカテゴリのうち少なくとも１つに基づいて格納領域を特定し、該特定された格納領域内に該メタデータを格納するとともに、前記通信機能を介した外部からのアクセス要求に応じて、セキュリティ・レベル又はカテゴリが適合する格納領域からメタデータを取り出して供給する、
ことを特徴とするコンピュータ・プログラム。
【請求項１１】
複数のユーザ間で情報交流や人間関係の形成を支援するための処理をコンピュータ上で実行するようにコンピュータ可読形式で記述されたコンピュータ・プログラムであって、前記コンピュータに対し、
２以上のユーザから、少なくともユーザの置かれた環境に応じた属性を記述したメタデータを、適合するセキュリティ・レベル及びカテゴリに対応した属性に基づいて取得するメタデータ取得手順と、
該取得したメタデータに対応した属性に応じてメタデータ間の一致検索結果を行なう一致検索手順と、
該一致検索の結果を提示する一致検索結果提示手順と、
を実行させることを特徴とするコンピュータ・プログラム。
【発明の詳細な説明】
【技術分野】
【０００１】
本発明は、人と人とが情報や意見などを交換する手段として用いる情報交流・人間関係育成支援システム、情報通信装置、情報交流・人間関係育成支援装置、並びにコンピュータ・プログラムに係り、特に、情報交流の他、人間関係の形成をサポートするコミュニケーション手段を提供する情報交流・人間関係育成支援システム、情報通信装置、情報交流・人間関係育成支援装置、並びにコンピュータ・プログラムに関する。
【０００２】
さらに詳しくは、本発明は、仮想世界経由のコミュニケーションの際に対面式で得られる情報交流や人間関係の形成をサポートする情報交流・人間関係育成支援システム、情報通信装置、情報交流・人間関係育成支援装置、並びにコンピュータ・プログラムに関する。
【背景技術】
【０００３】
昨今、情報処理や情報通信などのコンピューティング技術が飛躍的に向上し、コンピュータ・システムが広汎に普及してきている。さらに、コンピュータどうしを相互接続するネットワーク・コンピューティング技術に対する要望も高まってきている。ネットワーク接続環境下では、コンピュータ資源の共有や、情報の共有・流通・配布・交換などの協働的作業を円滑に行なうことができる。
【０００４】
また、近い将来には、「つながりたくなくてもつながってしまう」という時代の到来が予測される。例えば、ブロードバンド（ＢｒｏａｄＢａｎｄ）を始めとする現在のネットワークが帯域の問題やユーザの意図を前提とするのに対し、ユーザがどこに移動しても同じように（すなわち、整合性を保ちながら）計算機資源を利用可能な環境が用意されるであろう。
【０００５】
これは、作業環境に依存しない接続方式であることから、「ユビキタス（Ｕｂｉｑｕｉｔｏｕｓ）・ネットワーク」あるいは「環境ネットワーク」とも呼ばれ、モバイル、常時接続、バリアフリー・インターフェースなどの複数の技術を組み合わせることによって実現される。
【０００６】
現在の社会環境では、産業活動、日常生活を問わず多くの人々がさまざまな場面でコンピュータの恩恵を受けている。したがって、ユビキタス・ネットワークは、夢の世界を実現するための１つの構成要素と言ってもよい。例えば、産業界においてはどこにいても客からの商品の注文を受けることができ、一般消費者（ユーザ）においてはいつでも所望のコンテンツの提供を受けることができる。
【０００７】
このユビキタス・ネットワークによって流通コンテンツが大容量化すると、人々のコミュニケーションはリッチになり、リアルな世界に近づいていくことは間違いない。さらに言えば、現在の電子メールに続く新たなコミュニケーションのスタイルを創造し、普及させていく可能性がある。
【０００８】
過去１０年、シリコン・バレーの奥様方の最も欲しいものは家庭内の壁一面に行きたい場所の風景が映し出される"Ｖｉｒｔｕａｌ  Ｗａｌｌ"であるという。これも近い将来にはかなりリアルなシステムになっていくことであろう。すなわち、各企業の技術の流れは"Ｖｉｒｔｕａｌ  Ｃｏｍｍｕｎｉｃａｔｉｏｎ"の追求に向けられていくであろう。
【０００９】
コンピュータが生活に深く浸透し、ユビキタス・ネットワークの構築が進む現在、電子メールは手軽で効率的なコミュニケーションの手段として既に広範に普及している。
【００１０】
電子メールは、人間関係のわずらわしさを避けながら画面でやり取りできる便利さ、そして「隙間の時間」を気軽に生めることができることから、とりわけ都会に住む若者を中心に爆発的に普及した。また、海外の知人とのやり取りを時差に関係なく行なえるという利便性がある。電子メールは間違いなく現代人の生活に適合している。
【００１１】
一方、ＩＴ（情報技術）の普及により交流がデジタル化された結果、表面的な人付き合いを維持するには便利になった反面、人間関係が何らかの形で変容若しくは希薄化してしまっているという側面がある。言い換えれば、現代人はやがて対面式のコミュニケーションの機会を減少させ、すべてのコミュニケーションを仮想世界上で行うようになってしまうのではないか、という危惧がある。
【００１２】
本発明者らは、情報交流の他、人間関係の形成を好適にサポートすることができる、優れたコミュニケーション手段を提供することが好ましいと考えている。
【００１３】
例えば、偶発的に発生するユーザ同士のコミュニケーションを支援する手法について提案がなされており、コミュニケーション支援という観点からは、人間関係の形成をサポートする試みが取り組まれている（例えば、非特許文献１を参照のこと）。しかしながら、この手法では、ユーザの携帯情報端末上に蓄積され提示されるデータは、写真などのコンテンツであり、訪れた場所などユーザのログや履歴情報とは異なる。そして、コミュニケーションを取りたい相手との共通度に基づいて適したコンテンツを再構成してユーザに提示するが、これはユーザ間で一致する履歴情報を提示することとは相違する。すなわち、目的、場所、時間といった付加情報の共通度に基づいてコンテンツの再構成を実施して提示するが、いかなる付加情報が共通するかをユーザに提示する訳ではない。また、モバイル環境におけるユーザ間の情報交換や情報共有を容易に行なうことを可能にするというものの、ユーザ自身が保持しているコンテンツをそのユーザの携帯情報端末上で提示するものである。このような場合、表面的なおしゃべりを通して相手のことを探り合うような人間関係において、共通の話題を見つける際にユーザ自らが張ったバリアを突破して、表面的な人付き合いの関係を強化するような直接的な効果はないと思われる。
【００１４】
【非特許文献１】平松外著「モバイル環境におけるコミュニケーション支援のためのコンテンツ再構成」（情報処理学会研究報告、２００２−ＤＢＳ−１１２、社団法人情報処理学会、２００２年７月１４日、Ｖｏｌ．２００２  Ｎｏ．６７、Ｐ．１１５〜１２２）
【発明の開示】
【発明が解決しようとする課題】
【００１５】
本発明の目的は、情報交流の他、人間関係の形成を好適にサポートすることができる、優れたコミュニケーション手段を提供することができる情報交流・人間関係育成支援システム、情報通信装置、情報交流・人間関係育成支援装置、並びにコンピュータ・プログラムを提供することにある。
【００１６】
本発明のさらなる目的は、仮想世界経由のコミュニケーションの際に対面式で得られる情報交流や人間関係の形成を好適にサポートすることができる、優れた情報交流・人間関係育成支援システム、情報通信装置、情報交流・人間関係育成支援装置、並びにコンピュータ・プログラムを提供することにある。
【課題を解決するための手段】
【００１７】
本発明は、上記課題を参酌してなされたものであり、その第１の側面は、対面式で得られる情報交流や人間関係の形成をサポートする情報通信装置であって、
無線データを送受信する無線通信部と、
メタデータを格納するメタデータ格納部と、
前記メタデータ格納部へのメタデータの保管を管理する中央制御部とを備え、
前記中央制御部は、前記メタデータ格納部をセキュリティ・レベル及びカテゴリ毎に仕分けし、前記無線通信部を介して受信したメタデータをセキュリティ・レベル及び／又はカテゴリが適合する領域に格納するとともに、外部からのアクセス要求に対して、セキュリティ・レベル及び／又はカテゴリが適合する格納領域からメタデータを取り出して供給する、
ことを特徴とする情報通信装置である。
【００１８】
また、本発明の第２の側面は、対面式で得られる情報交流や人間関係の形成をサポートする情報通信方法であって、
無線通信により取得したメタデータをメタデータ・メモリ上のセキュリティ・レベル及び／又はカテゴリが適合する領域に格納するメタデータ保存ステップと、
外部からのアクセス要求に対して、メタデータ・メモリ上のセキュリティ・レベル及び／又はカテゴリが適合する格納領域からメタデータを取り出して供給するメタデータ読み出しステップと、
を具備することを特徴とする情報通信方法である。
【００１９】
また、本発明の第３の側面は、対面式で得られる情報交流や人間関係の形成を仮想世界上でサポートする情報交流・人間関係形成支援システム情報交流・人間関係形成支援方法であって、
実世界上の随所でセキュリティ・レベル及びカテゴリ毎のメタデータをユーザ端末に提供するメタデータ送信手段又はステップと、
ユーザ端末から適合するセキュリティ・レベル及びカテゴリのメタデータを取り出すメタデータ取得手段又はステップと、
２以上のユーザ端末から取得されたメタデータ間の一致検索を行なう一致検索手段又はステップと、
該一致検索結果を提示する一致検索結果提示手段又はステップと、
を具備することを特徴とする情報交流・人間関係形成支援システム又は情報交流・人間関係形成支援方法である。
【００２０】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００２１】
また、ここで言うメタデータは、ユーザが携行する情報通信装置に対して、ユーザがその場所を訪れたこと、その場所が何であるかというログに相当するメタデータ形式の情報であり、街角や映画館など実世界上の随所に設置されている送信機から送出されている。
【００２２】
また、本発明に係る情報通信装置は、例えばカード型あるいはその他の小型・軽量で携行性に富むフォームファクタとして構成され、あるいはＰＤＡや携帯電話などその他の携帯型機器の中に組み込まれている。
【００２３】
したがって、ユーザは、本発明に係る情報通信装置を携帯して行動することにより、情報通信装置には、ユーザの実世界上での活動やその他のユーザに関連する履歴情報（Ｐｅｒｓｏｎａｌ  Ｈｉｓｔｏｒｙ）が蓄積されていき、この結果、ユーザを識別又は特定するための装置、すなわちＵｓｅｒ  Ｉｄｅｎｔｉｆｙ  Ｍｏｄｕｌｅ（ＵＩＭ）として機能することができる。
【００２４】
このように情報通信装置に蓄積されている情報を利用して、キャリア・プランニング（Ｃａｒｒｉｅｒ  Ｐｌａｎｎｉｎｇ）、認証（Ｃｅｒｔｉｆｉｃａｔｉｏｎ）、情報交流（Ｃｏｍｍｕｎｉｃａｔｉｏｎ）などに役立てることができる。
【００２５】
そして、本発明に係る情報交流・人間関係形成支援システムは、あるユーザの情報通信装置からデータを取り出して、他のユーザの情報通信機器からのデータとの一致検索を行なう。そして、この一致検索結果を各ユーザに提示することにより、仮想世界経由で実世界相当の情報交流や人間形成を好適にサポートすることができる。
【００２６】
これは実に単純なシステムであるが、心理学的な裏付けが存在する。心理学的には、対人関係は、出会い→実験→関係強化→統合→結束の５段階で発展していくと考えられるが、特に重要なのは２番目の「実験」段階である。すなわち、「実験」の段階では、通常なら世間話や表面的なおしゃべりを通して相手のことを探り合い、自分を抑制しないで済むような、相手との共通の話題にできる趣味や問題を探しながら、ここからその後の対人関係の発展を判断する。
【００２７】
対面式のコミュニケーションには不慣れな現代人にとっては、相手との共通の話題を見つける前に自分から諦めてバリアを張ってしまうことが往々にしてあるが、本発明によれば、共通の話題というこのポイントを突破することにより、あとは表面的なコミュニケーションが次第に内面的なコミュニケーションへと進展して、豊かな情報交換ができるようになれば、さらに次の「関係強化」の段階に進むべきかどうかを容易且つ正確に判断することができる。
【００２８】
本発明に係る情報通信装置は、前記メタデータ格納部に装置ユーザがメタデータを直接書き込むためのユーザ入力部をさらに備えていてもよい。このような場合、ユーザは、何かイベントがあると直接出来事を入力することにより、日記代わりに情報通信装置を利用することができる。
【００２９】
また、ユーザが街角など実世界上の随所で受信するメタデータの蓄積結果は、個人情報でありプライバシーに関わる。このため、本発明に係る情報通信装置又は情報通信方法においてメタデータを格納する際に、比較的安全な通信路を介して伝送されたデータにはより高いセキュリティ・レベルを設定するとともに、それ以外の伝送データに対してより低いセキュリティ・レベルを設定するようにしてもよい。
【００３０】
また、本発明に係る情報通信装置又は情報通信方法は、前記メタデータ格納部に蓄積されているユーザの過去情報を基に、例えばユーザに対応した仮想的な人格（Ｖｉｒｔｕａｌ  Ｐｅｒｓｏｎ）とも言うべきキャラクタすなわち"Ｃｏｍｐａｎｉｏｎ"を育成させてもよい。このような場合、ユーザが情報通信機器を携行することで、Ｃｏｍｐａｎｉｏｎは、ユーザとともに成長する。
【００３１】
また、セキュリティ・レベルとは、自分の過去をどこまで公開すべきであるかという基準を決めるものであり、親密な関係であれば同じ情報のセキュリティ・レベルを下げてもよい。また、本発明に係る情報交流・人間関係形成支援システムにおいて、前記一致検索手段又はステップは、一致検索は、どちらかレベルの高いほうに合わせて行なうようにしてもよい。
【００３２】
また、本発明の第４の側面は、情報交流や人間関係の形成をサポートするための情報通信処理をコンピュータ・システム上で実行するようにコンピュータ可読形式で記述されたコンピュータ・プログラムであって、
無線通信により取得したメタデータをメタデータ・メモリ上のセキュリティ・レベル及び／又はカテゴリが適合する領域に格納するメタデータ保存ステップと、
外部からのアクセス要求に対して、メタデータ・メモリ上のセキュリティ・レベル及び／又はカテゴリが適合する格納領域からメタデータを取り出して供給するメタデータ読み出しステップと、
を具備することを特徴とするコンピュータ・プログラムである。
【００３３】
また、本発明の第５の側面は、情報交流や人間関係の形成を仮想世界上でサポートするための処理をコンピュータ・システム上で実行するようにコンピュータ可読形式で記述されたコンピュータ・プログラムであって、
実世界上の随所でセキュリティ・レベル及びカテゴリ毎のメタデータをユーザ端末に提供するメタデータ送信ステップと、
ユーザ端末から適合するセキュリティ・レベル及びカテゴリのメタデータを取り出すメタデータ取得ステップと、
２以上のユーザ端末から取得されたメタデータ間の一致検索を行なう一致検索ステップと、
該一致検索結果を提示する一致検索結果提示ステップと、
を具備することを特徴とするコンピュータ・プログラムである。
【００３４】
本発明の第４並びに第５の各側面に係るコンピュータ・プログラムは、コンピュータ・システム上で所定の処理を実現するようにコンピュータ可読形式で記述されたコンピュータ・プログラムを定義したものである。換言すれば、本発明の第３並びに第４の各側面に係るコンピュータ・プログラムをコンピュータ・システムにインストールすることによって、コンピュータ・システム上では協働的作用が発揮され、本発明の第１及び第２の各側面に係る情報通信装置又は情報通信方法、又は本発明の第３の側面に係る情報交流・人間関係形成支援システム又は情報交流・人間関係形成支援方法の各々と同様の作用効果を得ることができる。
【発明の効果】
【００３５】
本発明によれば、情報交流の他、人間関係の形成を好適にサポートすることができる、優れたコミュニケーション手段を提供する情報交流・人間関係育成支援システム、情報通信装置、情報交流・人間関係育成支援装置、並びにコンピュータ・プログラムを提供することができる。
【００３６】
また、本発明によれば、仮想世界経由のコミュニケーションの際に対面式で得られる情報交流や人間関係の形成を好適にサポートすることができる、優れた情報交流・人間関係育成支援システム、情報通信装置、情報交流・人間関係育成支援装置、並びにコンピュータ・プログラムを提供することができる。
【００３７】
本発明のさらに他の目的、特徴や利点は、後述する本発明の実施形態や添付する図面に基づくより詳細な説明によって明らかになるであろう。
【発明を実施するための最良の形態】
【００３８】
以下、図面を参照しながら本発明の実施形態について詳解する。
【００３９】
Ａ．システム構成
本発明は、仮想世界経由のコミュニケーションの際に対面式で得られる情報交流や人間関係の形成を好適にサポートすることものである。より具体的には、メモリを内蔵させたユーザ携行型の情報通信機器を媒介として、ユーザの個人情報あるいはユーザに関連するその他の実世界情報を情報通信機器に逐次取り込んでいくとともに、その情報通信機器からデータを取り出して、他のユーザの情報通信機器からのデータとの一致検索を行なうことにより、仮想世界経由で実世界相当の情報交流や人間形成をサポートする。
【００４０】
図１には、本発明に適用される情報通信機器１の機能構成を模式的に示している。同図に示すように、情報通信機器１は、アンテナ１１と、無線通信部１２と、中央制御部１３と、ＲＡＭ(Ｒａｎｄｏｍ Ａｃｃｅｓｓ Ｍｅｍｏｒｙ）１４と、メタデータ・メモリ１５と、ユーザ入力インターフェース１６と、セキュリティ・レベル設定インターフェース１７とで構成される。
【００４１】
無線通信部１２は、アンテナ１１を介した無線データの変復調、符号化／復号化などの送受信処理を行なう。ここで言う無線通信には、例えばＲＦ−ＩＦや、ＩＣカードで利用される電磁誘導作用に基づく非接触データ通信、Ｂｌｕｅｔｏｏｔｈなどの近接データ通信方式を採用することができる。
【００４２】
中央制御部１３は、所定のプログラム・コードを実行することにより、データ送受信処理、メタデータのメモリ管理など、機器１全体の動作を統括的にコントロールする。
【００４３】
ＲＡＭ１４は、中央制御部１３の作業メモリとして、あるいは送受信データのバッファとして作用する。
【００４４】
メタデータ・メモリ１５は、中央制御部１３の管理下で、アンテナ１１及び無線通信部１２を介して得られる実世界情報の保管を行なう。
【００４５】
実世界には、情報通信機器１に実世界情報を与える送信機（図示しない）が散在している。これら送信機は、ユーザが携行する情報通信機器１に対して、ユーザがその場所を訪れたこと、その場所が何であるかなどのログに相当するメタデータ形式の情報を提供する。この種の情報は、用途や目的などを表すカテゴリを持つとともに、ユーザの私的活動（プライバシー）に関わることからセキュリティ・レベルを持つ。
【００４６】
図２には、メタデータ・メモリ１５が持つ記憶空間の構成を模式的に示している。同図に示すように、この記憶空間はカテゴリ別及びセキュリティ・レベル別に区画されている。アンテナ１１及び無線通信部１２を介して送信機から実世界情報を得ると、中央制御部１３の管理下で、この記憶空間の該当する区画に保管される。また、メタデータ・メモリ１５からデータを読み出す際には、所定の認証手続きにより許可されたセキュリティ・レベルまでの範囲で、一致検索などにより該当するカテゴリのデータのみがこの記憶空間から取り出され、無線通信部１２及びアンテナ１１を介して送出する。
【００４７】
ユーザ入力インターフェース１６は、キーやボタン、タッチパッドなどで構成され、ユーザからの文字ベース若しくはその他の形式の入力データを受容する。ユーザは、このユーザ入力インターフェース１６を介して実世界情報をメタデータ・メモリ１５内の所定の区画に直接書き込んだり、一旦メタデータ・メモリ１５に保存された内容を編集・消去したりすることができる。
【００４８】
セキュリティ・レベル設定インターフェース１７は、メタデータ・メモリ１５の記憶空間を区画管理するセキュリティ・レベルの設定並びにその変更を行なうためのインターフェースである。
【００４９】
そして、情報通信装置１は、実世界上に散在している送信機から、ユーザがその場所を訪れたこと、その場所が何であるかなどのログに相当するメタデータ形式の情報を受信すると、メタデータ・メモリ１５内に逐次書き込んでいく。携帯型の情報通信装置１には、ユーザの実世界上での活動やその他のユーザに関連する履歴情報（Ｐｅｒｓｏｎａｌ  Ｈｉｓｔｏｒｙ）が蓄積されていき、この結果、ユーザを識別又は特定するための装置、すなわちＵｓｅｒ  Ｉｄｅｎｔｉｆｙ  Ｍｏｄｕｌｅ（ＵＩＭ）として機能することができる。
【００５０】
図３には、ユーザが直接メタデータ・メモリ１５に情報を書き込むための動作手順をフローチャートの形式で示している。この動作手順は、実際には、所定のプログラム・コードを実行中の中央制御部１３がユーザ入力インターフェース１６を介したユーザ・インタラクションを処理するという形態で実現される。
【００５１】
まず、ユーザがユーザ入力インターフェース１６を用いて出来事を直接入力する（ステップＳ１）。
【００５２】
次いで、手入力の際に設定されたセキュリティ・レベルを確認する（ステップＳ２、Ｓ３）。
【００５３】
手入力によるセキュリティ・レベルが必ずレベル２と設定されていれば、入力データをレベル２としてメタデータ・メモリ１５の該当する領域に格納する（ステップＳ５）。また、入力内容がレベル１と認識されれば、メタデータ・メモリ１５内のレベル１の区画に格納する（ステップＳ４）。
【００５４】
図３に示したような処理手順に従えば、ユーザは、何かイベントがあると直接出来事を入力することにより、日記代わりに情報通信装置１を利用することができる。
【００５５】
日記を書く人は意外と多い。Ｗｅｂで自分の日記を公開している人も散見される。そういう積極的な人はそのまま情報通信装置１に記入する。情報通信装置１はもともと統合されたモバイル機器であるという仮定（前述）から、このような文字入力機能を使って体験をメモするという利用形態も有り得る。特に、このシステムの普及が進むと、ユーザが自ら進んでメモを取るようになることが予想される。また、音声認識技術の発展により、音声メモだけでもテキスト変換されて情報通信装置１に蓄積されるようにしてもよい。
【００５６】
また、図４には、アンテナ１１及び無線通信部１２を介して外部の送信機から受信した情報をメタデータ・メモリ１５に情報を書き込むための動作手順をフローチャートの形式で示している。この動作手順は、実際には、所定のプログラム・コードを実行中の中央制御部１３が無線データを処理するという形態で実現される。
【００５７】
ここでは、例えばすべての製品が無線化されており、その送信データにはすべてメタデータが付加されているということを仮定する。また、セキュリティ・レベルは２段階だと仮定する。
【００５８】
まず、各機器間で無線通信が開始され、さまざまなデータのやり取りを行なっている（ステップＳ１１）。そして、各機器はメタデータ情報を、ユーザが携行する情報通信装置１に送信している（ステップＳ１２）。
【００５９】
例えばチューナから壁掛けＴＶへある野球チームの試合データが送信された場合には、そのメタデータの情報がある頻度で情報通信装置１に無線で送られている。
【００６０】
情報通信装置１側では、無線データを受信し、入力データをメタデータ・メモリ１５に蓄積する際に、設定されたセキュリティ・レベル毎に分別して、セキュリティ・レベルを確認する（ステップＳ１３、Ｓ１４）。
【００６１】
情報通信装置１内では、例えば図５に示すようなセキュリティ・テーブルを持っており、それと比較することになる。同図に示す例では、例えば電話や電子メールのような比較的安全な通信路を用いたデータ伝送においてはより高いセキュリティ・レベルを設定するとともに、それ以外のデータ伝送においてはより低いセキュリティ・レベルを設定している。
【００６２】
そして、セキュリティ・レベルがレベル２と設定されていれば、受信データをレベル２としてメタデータ・メモリ１５の該当する領域に格納する（ステップＳ１６）。また、受信データがレベル１と認識されれば、メタデータ・メモリ１５内のレベル１の区画に格納する（ステップＳ１５）。
【００６３】
例えばＴＶ番組に関するメタデータの場合には、図５に示すセキュリティ・テーブルによればレベル１なので、ステップＳ１５に従いメタデータ・メモリ１５に格納される。また、通信に関するメタデータの場合には、ステップＳ１６に従いメタデータ・メモリ１５に格納される。
【００６４】
近い将来、放送と通信の融合がある程度進んでいることが予想される。このような環境下で、データの内容を示すためのデータ（ヘッダ）が付加する。これを一般的に“メタデータ”と呼ぶ。図６には、メタデータのイメージを示している。同図に示す例では、サッカーをしている画像データに「記録時間」と「画像の内容」が付加されており、このタグの部分がメタデータに相当する。ＭＰＥＧ７では既に規格化されているものもあり、データにメタデータが付くことにより、放送データにもランダム・アクセスや内容検索が可能になる。機器はすべてこのメタデータを採用する。
【００６５】
そして、機器間は無線ローカル・ネットワークで接続されていると仮定する。図７には、同じ作業環境内の各機器が無線で接続されている様子を示している。現在でも、法規制が許容する範囲内で、ＵＷＢ(Ｕｌｔｒａ  Ｗｉｄｅｂａｎｄ）方式を用いれば１００Ｍｂｐｓ伝送は十分可能であり、数年先には６００Ｍｂｐｓ伝送が実現されていると予測される。回路規模も非常に小さく、低消費電力も数百ｍＷオーダーなので、モバイル機器への搭載も問題はない。１００ｍの伝送距離確保は困難だが、ローカル機器間無線実現性の可能性は高い。
【００６６】
この無線通信を利用することにより、各機器のメタデータはユーザの知らないうちに自分が携行する情報通信装置１の中に蓄積される。例えば、どんなＴＶを見た、どんな音楽を聴いたという情報である。当然、これらには決め細やかなレベルをデフォルトで設け、セキュリティ・レベルに合わせてファイリングすることになる。
【００６７】
また、図８には、アンテナ１１及び無線通信部１２を介して外部の送信機から受信した情報をメタデータ・メモリ１５に情報を書き込むための動作手順についての他の例をフローチャートの形式で示している。この動作手順は、実際には、所定のプログラム・コードを実行中の中央制御部１３が無線データを処理するという形態で実現される。この例では、街角や映画館など実世界上の随所に送信機が設置されていると仮定しており、情報通信装置１にメタデータが自動的に書き込まれる。
【００６８】
ここでは、例えばすべての製品が無線化されており、その送信データにはすべてメタデータが付加されているということを仮定する。また、セキュリティ・レベルは２段階だと仮定する。
【００６９】
情報通信装置１を携行するユーザがある作業空間に入ってきたとき、同じ空間に存在する各送信機は情報通信装置１にメタデータ情報を送信する（ステップＳ２１）。例えば、映画館に設置されている送信機は、情報通信装置１を携えたユーザが映画館に入ってきたときに、その情報を情報通信装置１に送信する。
【００７０】
情報通信装置１側では、無線データを受信し、入力データをメタデータ・メモリ１５に蓄積する際に、設定されたセキュリティ・レベル毎に分別して、セキュリティ・レベルを確認する（ステップＳ２２、Ｓ２３）。情報通信装置１内では、例えば図５に示すようなセキュリティ・テーブルを持っており、それと比較することになる。
【００７１】
そして、セキュリティ・レベルがレベル２と設定されていれば、受信データをレベル２としてメタデータ・メモリ１５の該当する領域に格納する（ステップＳ２５）。また、受信データがレベル１と認識されれば、メタデータ・メモリ１５内のレベル１の区画に格納する（ステップＳ２４）。
【００７２】
映画に関するメタデータの場合には、セキュリティ・テーブルに従えばレベル１となるので、ステップＳ２４に従いレベル１として格納される。勿論、メタデータが通信に関するものであれば、ステップＳ２５に従いレベル２として格納されることになる。
【００７３】
近い将来、誰がどこにいてもシームレスに無線環境を使うことができる。例えばレストラン、映画館、ボーリング場などである。それらの入り口には必ず送信機が設置され、ユーザの履歴情報（Ｈｉｓｔｏｒｙ  Ｄａｔａ）として書き込まれるインフラストラクチャを構築する。つまり、映画館に入った時点で、ユーザが携帯している情報通信装置１に「４月１５日１６:００  タイタニック」というような情報が入力されるのである。
【００７４】
なお、過去データはすべて本発明に係る情報通信装置１内のメタデータ・メモリ１５に蓄積できると仮定している。１メタデータを６４バイトとして、１日１０００件の書き込みがあったとして、６４キロバイト、１年間で２４メガバイトになり、１００年間使ったとしてもせいぜい２．３ギガバイトである。この２．３ギガバイトという数値は、「ムーアの法則による半導体プロセスの進歩＋データ圧縮技術の進歩」を考えると、数年先の実現も決して無理な数値ではないと言える。
【００７５】
また、情報通信装置１を紛失した際の対応策として、内部のデータをすべてホーム・サーバでバックアップしておくようにしてもよい。過去のデータは見られても所詮メタデータ・レベルである。また、公開鍵暗号方式（ＰＫＩ）で保護されており、秘密鍵を解かれる前に鍵を交換する。
【００７６】
本発明に係る情報通信装置１は、例えばカード型あるいはその他の携行に適したフォームファクタからなるモジュールとして構成されている。あるいは、普段身に付けているカフスボタンやイヤリングなどを利用して、ウェアラブル（Ｗｅａｒａｂｌｅ）機器として構成してもよい。勿論、携帯電話機やＰＤＡ（Ｐｅｒｓｏｎａｌ  Ｄｉｇｉｔａｌ  Ａｓｓｉｓｔａｎｔ）などの既存の携帯型製品にＵＩＭ機能が統合化されてもよい。
【００７７】
このように情報通信装置１に蓄積されている情報を利用して、キャリア・プランニング（Ｃａｒｒｉｅｒ  Ｐｌａｎｎｉｎｇ）、認証（Ｃｅｒｔｉｆｉｃａｔｉｏｎ）、情報交流（Ｃｏｍｍｕｎｉｃａｔｉｏｎ）などに役立てることができる。本発明に係る情報通信装置１が持つこれら主要な用途のことをＣ3（シースクウェア）とも呼ぶ。
【００７８】
また、メタデータ・メモリ１５に蓄積されているユーザの過去情報を基に、例えばユーザに対応した仮想的な人格（Ｖｉｒｔｕａｌ  Ｐｅｒｓｏｎ）とも言うべきキャラクタすなわち“Ｃｏｍｐａｎｉｏｎ”を育成させてもよい。情報通信機器１を携行することで、Ｃｏｍｐａｎｉｏｎは、ユーザとともに成長する。
【００７９】
以下、本発明に係る情報通信装置１の利用形態について説明する。
【００８０】
Ｂ．リアル・コミュニケーションのサポート：
図９には、本発明に係る情報通信装置１を用いてリアル・コミュニケーションをサポートすることによって実現されるシナリオ例を示している。
【００８１】
各自（男性Ａ及びＢ）の情報通信装置１の中には、その人の過去に関する情報が格納されている。バーのカウンタには小型液晶画面が搭載されたコミュニケーション・マシンが数台設置されている。２人はそれぞれ所持する情報通信装置１のアンテナ１１をそのコミュニケーション・マシンにかざす。
【００８２】
コミュニケーション・マシン側では、お互いの情報通信機器１から過去の中身を読み出して、一致検索を行なう。例えば、昔見た映画が同じであるかもしれないし、実は同じ高校の出身者であるかもしれない。この例のように、見ず知らずの人であっても、思いもよらない共通点があった場合、新密度は急速に増していき、会話が弾んでいく。
【００８３】
情報通信機器１内のメタデータ・メモリ１５ではユーザの過去の情報をセキュリティ・レベル毎に分けて管理していること（図２を参照のこと）は既に述べた。ここで言うセキュリティ・レベルとは、自分の過去をどこまで公開すべきであるかという基準を決めるものであり、親密な関係であれば同じ情報のセキュリティ・レベルを下げてもよい。また、一致検索は、どちらかレベルの高い方に合わせて行なうようにしてもよい。
【００８４】
これは実に単純なシステムであるが、心理学的な裏付けが存在する。心理学的には、対人関係は以下の５段階で発展していくと考えられる（宮原著「対人関係の発展のＣｏｍｍｕｎｉｃａｔｉｏｎ」を参照のこと）。
【００８５】
出会い→実験→関係強化→統合→結束
【００８６】
それぞれの段階で交わされる対人コミュニケーションには特徴が見られる。本発明者は、特に重要なのは２番目の「実験」段階であると思料する。簡単な挨拶から始まる「出会い」の段階では、短時間のうちにお互い相手に関する印象を形成する。図９に示したシナリオを例にすれば、男性Ｂが気軽に声をかけた段階がこれに相当する。次の「実験」の段階では、通常なら世間話や表面的なおしゃべりを通して相手のことを探り合い、自分を抑制しないで済むような、相手との共通の話題にできる趣味や問題を探しながら、ここからその後の対人関係の発展を判断する。
【００８７】
本発明に係る情報通信装置１は、この共通の話題を見つけるきっかけを与えることができる。対面式のコミュニケーションには不慣れな現代人にとっては、相手との共通の話題を見つける前に自分から諦めてバリアを張ってしまうことが往々にしてある。共通の話題というこのポイントを突破することにより、あとは表面的なコミュニケーションが次第に内面的なコミュニケーションへと進展して、豊かな情報交換ができるようになれば、さらに次の「関係強化」の段階に進むべきかどうかを容易且つ正確に判断することができる。
【００８８】
ここで、「同一の経験を共有している程度が大きいほど、効果的なコミュニケーションが生じる」ということを充分に理解されたい。これは、「実験」段階におけるポイントだという心理学上の分析である。本発明に係る情報通信装置１によれば、コミュニケーション・マシンとの協働的動作により、この部分を情報技術によりサポートしていることになる。
【００８９】
コミュニケーション・マシンは、例えばバーのカウンタに設置され、小さな液晶表示画面を搭載している。このコミュニケーション・マシンは、カウンタに座った各ユーザの情報通信装置１から過去のデータを引き出して、一致検索をした後、その結果を表示出力する。
【００９０】
図１０には、各ユーザの情報通信装置１とコミュニケーション・マシンからなるシステム構成例を模式的に示している。
【００９１】
同図中のＡ、Ｂはそれぞれ男性Ａ及び男性Ｂが所持する情報通信装置１である。内部には各ユーザの過去データが蓄積されている。本システムを利用する場合には、例えば無線や赤外線を使ったローカル・ネットワークでコミュニケーション・マシンに接続する。
【００９２】
本システムに接続する際、公開鍵暗号方式（ＰＫＩ）などを用いて認証を行なう。最初に各ユーザは、コミュニケーション・マシンＣとのみ認証を行なう。これにより男性Ａの情報通信装置とコミュニケーション・マシンＣ、並びに男性Ｂの情報通信装置とコミュニケーション・マシンＣが公開鍵のやり取りを行なう。
【００９３】
次いで、コミュニケーション・マシンＣは、男性Ａ及び男性Ｂの情報通信装置からお互いの過去のデータを吸い上げ、メタデータの一致検索をして、その結果をコミュニケーション・マシンＣの液晶画面に表示出力する。つまり、各ユーザの情報通信装置同士では直接的なデータのやり取りは一切行なわない。もしお互いの通信機能でデータを交換してしまうと、どちらかの過去データをもう一方のユーザの情報通信装置に流してしまうことになり、ユーザに抵抗を与えてしまうからである。またコミュニケーション・マシンに関しても、システム使用後には必ずデータのすべてを消去することをユーザに保証している。
【００９４】
図１１には、コミュニケーション・マシン２の機能構成を模式的に示している。同図に示すように、コミュニケーション・マシン２は、アンテナ２１と、無線通信部２２と、中央制御部２３と、ＲＡＭ２４と、公開鍵情報管理部２５と、メタデータ・メモリ２６と、ディスプレイ２７とで構成される。
【００９５】
無線通信部２２は、アンテナ２１を介した無線データの変復調、符号化／復号化など、近隣のユーザが所持する情報通信装置との間でデータの送受信処理を行なう。ここで言う無線通信には、例えばＲＦ−ＩＦや、ＩＣカードで利用される電磁誘導作用に基づく非接触データ通信、Ｂｌｕｅｔｏｏｔｈなどの近接データ通信方式を採用することができる。
【００９６】
中央制御部２３は、所定のプログラム・コードを実行することにより、データ送受信処理、メタデータのメモリ管理など、コミュニケーション・マシン２全体の動作を統括的にコントロールする。
【００９７】
ＲＡＭ２４は、中央制御部２３の作業メモリとして、あるいは送受信データのバッファとして作用する。
【００９８】
公開鍵情報管理部２５は、各ユーザの情報通信装置と無線接続する際に行なう認証手続きに利用する公開鍵情報を管理している。
【００９９】
メタデータ・メモリ２６は、中央制御部２３の管理下で、アンテナ２１及び無線通信部２２を介して得られる実世界情報の保管を行なう。
【０１００】
ディスプレイ２７は、例えば液晶表示装置などで構成され、例えば、各ユーザの情報通信装置１から引き出された過去のデータの一致検索結果の表示に利用される。
【０１０１】
図１０に示す例では、コミュニケーション・マシン２は、最初に男性Ａが所持する情報通信装置と通信を行なう。それぞれは公開鍵情報を持っており、コミュニケーション・マシン２は公開鍵情報を管理部２５に持ち、まずこの情報の交換を行なう。これにより、男性Ａが所持する情報通信装置とコミュニケーション・マシン２はセキュアに情報を交換することが可能になる。
【０１０２】
その後、男性Ａが所持する情報通信装置からの過去情報はＲＡＭ２４に一旦蓄積され、男性Ａが所持する情報通信装置からのデータとして認識した後に、メタデータ・メモリ２６に格納される。
【０１０３】
また、これと同様の操作を男性Ｂが所持する情報通信装置に対しても行ない、メタデータ・メモリには男性Ａと男性Ｂの双方から得たメタデータが蓄積されることになる。これが３人以上の場合には、さらに同じ動作を行なうことになる。
【０１０４】
メタデータ・メモリ２６のデータが蓄積された後は、コミュニケーション・マシン２はデータの一致検索を行ない、その一致検索結果をディスプレイ２７に表示出力する。
【０１０５】
無線通信部２２、公開鍵情報部２５、ＲＡＭ２４、メタデータ・メモリ２６、並びにディスプレイ２７の動作はすべて中央制御部２３により統括的にコントロールされている。
【０１０６】
なお、コミュニケーション・マシン２との接続時に各ユーザの本人確認を行なう必要性は、アプリケーションの深刻さに依存する。本発明に係る情報通信装置１は、統合されたモバイル機器である可能性が高く、例えば携帯電話機に搭載されている場合もある。近い将来、携帯電話では第３世代（以下、３Ｇと略記）と呼ばれる無線通信方式が主流になる。この３Ｇは、日本と欧州が中心に開発を進めてきたＣＤＭＡ−ＤＳ（Ｗ−ＣＤＭＡ）と米国を中心にしたＣＤＭＡ−ＭＣ（ｃｄｍａ２０００）があり、異なる方式を採用した国の間で同一の電話機をそのまま利用することはできない。そこでＩＴＵ（国際電気通信連合）は、３Ｇそのものである“ＩＭＴ−２０００”という規格の中で、異なる方式の電話機であっても共通のＩＣカードを差し替えて使用することで、電話番号や課金情報をそのまま引き継いで使う方法を採用した。これがＵｓｅｒＩｄｅｎｔｉｔｙ Ｍｏｄｕｌｅ（ＵＩＭ）カードである。このＵＩＭにクレジット機能が加われば、３Ｇを電子マネーとして使用でき、個人情報を記録できれば、個人を証明するＩＤ代わりに活用できる。
【０１０７】
図１０に示す本発明の実施形態では、このＵＩＭ機能を利用し、情報通信装置１の使用者が本当に本人かどうかを確認したい場合には、コミュニケーション・マシンＣを経由して通信事業者に問い合わせることにより、情報通信装置１内の情報と本人の認証をＰＩＮ（ＰｅｒｓｏｎａｌＩｄｅｎｔｉｆｙ Ｎｕｍｂｅｒ）などを利用してとることも可能である。
【０１０８】
以下、情報通信装置１を用いたリアル・コミュニケーション・サポートについてのさらなる応用例について詳解する。
【０１０９】
Ｂ−１．同世代コミュニケーション
１０代並びに２０代を中心にした若者の世代は、常に出会いやコミュニケーションを求めており、例えば居酒屋やクラブ、ファーストフード店に、本発明に係る情報通信装置１を利用した上記のシステムを導入することで、効率的なコミュニケーション・エリアを構築することができる。この場合、店舗はいわゆるホットスポット（ＨｏｔＳｐｏｔ）（登録商標）として展開することが予想され、経営者にとっては集客力の強化が見込まれる。図９に示したシナリオ例では一対一の一致検索であったが、これを複数人で実現することができれば、新たなアプリケーションの出現も期待できる。
【０１１０】
同じ“同世代コミュニケーション”でも、高齢者にも十分ニーズがあるということに注目したい。都市部には「老人大学」という施設があり、そこの入学動機調査を藤田教授が行なった結果がある（１９８５年）。これによると、入学動機の５割以上の人が「友人とコミュニケーションをとること」という理由を掲げているという。これは老人ホームやカルチャー・センターでの調査でも同様の結果であることが示されている。このリポートによると、老人大学入学者の特徴の１つに男性の割合が８割と非常に多いことが挙げられている。この年代の高齢者は、これまで男性は仕事、女性は家庭という役割分業の固定化が強かったこともあって、男性は退職後に原則として人間関係が切れてしまい、気が付いたときにはコミュニケーションがとれる友達が周囲に誰もいなくなり、あわてて友人を求めて入学してくるケースが多いらしい。
【０１１１】
さらに男性は、企業組織がピラミッドで示される程のタテ社会で活動をしてきたため、老人大学や老人ホームなど、「ヨコ社会」に馴染むまでになかなかコミュニケーションがとれず、大変な思いするケースが多い。最初に「○○大学教授」など、昔の肩書きがついた名刺に線を引いて挨拶する人、「元部長」など、「元」がついた名刺をわざわざ作らないとコミュニケーションが始められない人など、さまざまである。こんな場面でこそ、図１０に示したようなコミュニケーション・サポート・システムが好適に作用する。特に同世代であればさまざまな共通点があるはずで、過去データの一致検索によりすぐにコミュニケーションをとることができる。
【０１１２】
Ｂ−２．異世代コミュニケーション
本発明者は、図１０に示したコミュニケーション・サポート・システムを異世代コミュニケーションに適用することについて特に注目している。
【０１１３】
対人コミュニケーションは年齢により相違する。それは年齢によってその人が置かれている社会状況と肉体的・社会的能力が違ってくるからである。これまでに子供の対人行動メカニズムについては、発達心理学や児童心理学というように多くの解析結果があり、若者の対人行動メカニズムについても、青年心理学において検討がなされている。しかし高齢者の対人行動メカニズムや、高齢者と年下の人とのメカニズムについては、未だに十分な研究がなされていないのが現実である。
【０１１４】
１９８０年に提出されたＥＰＰＳという「社会欲求を測定するパーソナリティテスト」による高齢者と壮年者の社会的欲求についての比較調査結果では、高齢者は決して壮年者に関して関心を寄せていないのではなく、むしろ強い関心を寄せていて、共通の話題さえあれば、積極的にコミュニケーションを取りたがっていることが明示されている。高齢者は「世話」になる関係を避けたいのであって、「対等」や「支配」の関係は持ちたいという結果である。ここでも図１０に示したコミュニケーション・サポート・システムは有効に活用できると思われる。
【０１１５】
Ｃ．伝言板システム
ここでいう伝言板システムは、例えば就職・転職活動で求人や求職を探す場合、あるいは結婚情報サービスにおいて結婚相手を探す場合に、年齢、性別、趣味、身長、学歴などといった、探索に必要な情報を伝言板システム側から情報通信装置１に指示し、所望の情報のみを取得する。
【０１１６】
図１２には、本発明を適用した伝言板システム３の機能構成を模式的に示している。同図に示すように、伝言板システム３は、アンテナ３１と、無線通信部３２と、中央制御部３３と、フォーマット設定部３４と、データ・メモリ３５と、ディスプレイ３６と、オンライン通信インターフェース３７とで構成される。
【０１１７】
無線通信部３２は、アンテナ３１を介した無線データの変復調、符号化／復号化など、近隣のユーザが所持する情報通信装置との間でデータの送受信処理を行なう。ここで言う無線通信には、例えばＲＦ−ＩＦや、ＩＣカードで利用される電磁誘導作用に基づく非接触データ通信、Ｂｌｕｅｔｏｏｔｈなどの近接データ通信方式を採用することができる。
【０１１８】
中央制御部３３は、所定のプログラム・コードを実行することにより、データ送受信処理、メタデータのメモリ管理など、コミュニケーション・マシン２全体の動作を統括的にコントロールする。
【０１１９】
フォーマット設定部３４は、各ユーザの情報通信装置１に蓄積されている過去データを伝言板上で提示するのに適したフォーマットに整形するのに必要な情報を管理している。
【０１２０】
データ・メモリ１５は、伝言板上で提示するためのフォーマット整形後のデータを蓄積する。
【０１２１】
ディスプレイ３６は、例えば液晶表示装置で構成され、例えば、データ・メモリ１５内に蓄積されているデータを伝言板の形式で提示する。
【０１２２】
オンライン通信インターフェース３７は、所定の情報センタ（図示しない）にオンライン接続して、内容検索などのために使用される。
【０１２３】
図１３には、この伝言板システム３において、ユーザの情報通信装置から取得した情報を伝言板上で提示するための動作手順をフローチャートの形式で示している。この動作手順は、実際には、中央制御部３３が所定のプログラム・コードを実行するという形態で実現される。但し、以下ではユーザが伝言板上でバイト探しをする場合を例にとって説明する。例えば、「時間はあるがお金がない」という状況の場合、バイト探し専用の伝言板システムにユーザ自身の情報通信装置１を近づけ、伝言板上で提示された情報を基に、求人する企業が適した人材を見つけることができる。
【０１２４】
まず、バイト先を探しているユーザが、伝言板システム３に自分の情報通信装置１を接近させる（ステップＳ３１）。
【０１２５】
伝言板システム３は、情報通信装置１を検知して、フォーマット設定情報を情報通信装置１に送信する（ステップＳ３２）。
【０１２６】
これに対し、情報通信装置１は、メタデータ・メモリ１５に蓄積されているユーザの過去データをフォーマット設定情報に従って整形して、伝言板システム３に送信する（ステップＳ３３）。
【０１２７】
伝言板システム３は、情報通信装置１側から取得した情報をデータ・メモリ３５に格納して、これをディスプレイ３６から表示出力する（ステップＳ３４）。ここで表示される内容は、フォーマット設定情報に書かれていた内容になる。この例の場合にはバイト探しであるので、年齢、性別、過去の経験など、通常の履歴書に書かれている内容が無記名で表示されることになる。
【０１２８】
一方、求人を行なう企業は、ディスプレイ３６の表示内容を直接閲覧するか、又は、オンライン通信インターフェース３７を介して伝言板システム３に接続して、オンラインで検索を行なう（ステップＳ３５）。
【０１２９】
伝言板システム３上で検索した結果、もし適合者がいない場合には（ステップＳ３６）、ステップＳ３５に戻り、再度検索条件を設定する。
【０１３０】
一方、適合者が存在する場合には、適合者に連絡をとる（ステップＳ３７）。この連絡方法は任意であり、例えば電子メールや電話でもよい。
【産業上の利用可能性】
【０１３１】
以上、特定の実施形態を参照しながら、本発明について詳解してきた。しかしながら、本発明の要旨を逸脱しない範囲で当業者が該実施形態の修正や代用を成し得ることは自明である。すなわち、例示という形態で本発明を開示してきたのであり、本明細書の記載内容を限定的に解釈するべきではない。本発明の要旨を判断するためには、特許請求の範囲を参酌すべきである。
【図面の簡単な説明】
【０１３２】
【図１】本発明に適用される情報通信機器１の機能構成を模式的に示した図である。
【図２】メタデータ・メモリ１５が持つ記憶空間の構成を模式的に示した図である。
【図３】ユーザが直接メタデータ・メモリ１５に情報を書き込むための動作手順を示したフローチャートである。
【図４】無線データをメタデータ・メモリ１５に書き込むための動作手順を示したフローチャートである。
【図５】セキュリティ・テーブルの構成例を示した図である。
【図６】メタデータのイメージを示した図である。
【図７】同じ作業環境内の各機器が無線で接続されている様子を示した図である。
【図８】無線データをメタデータ・メモリ１５に書き込むための動作手順についての他の例を示したフローチャートである。
【図９】本発明の１つの利用形態におけるシナリオを示した図である。
【図１０】各ユーザの情報通信装置１とコミュニケーション・マシンからなるシステム構成例を模式的に示した図である。
【図１１】コミュニケーション・マシンの機能構成を模式的に示した図である。
【図１２】本発明を適用した伝言板システム３の機能構成を模式的に示した図である。
【図１３】伝言板システム３においてユーザの情報通信装置から取得した情報を伝言板上で提示するための動作手順を示したフローチャートである。
【符号の説明】
【０１３３】
１…情報通信機器
１１…アンテナ、１２…無線通信部
１３…中央制御部、１４…ＲＡＭ
１５…メタデータ・メモリ
１６…ユーザ入力インターフェース
１７…セキュリティ・レベル設定インターフェース
２…コミュニケーション・マシン
２１…アンテナ、２２…無線通信部
２３…中央制御部、２４…ＲＡＭ
２５…公開鍵情報管理部
２６…メタデータ・メモリ
２７…ディスプレイ
３…伝言板システム
３１…アンテナ、３２…無線通信部
３３…中央制御部、３４…フォーマット設定部
３５…データ・メモリ
３６…ディスプレイ
３７…オンライン通信インターフェース
【図１】
2006294024.tif 000003
【図２】
2006294024.tif 000004
【図３】
2006294024.tif 000005
【図４】
2006294024.tif 000006
【図５】
2006294024.tif 000007
【図８】
2006294024.tif 000008
【図９】
2006294024.tif 000009
【図１１】
2006294024.tif 000010
【図１２】
2006294024.tif 000011
【図１３】
2006294024.tif 000012
【図６】
2006294024.tif 000013
【図７】
2006294024.tif 000014
【図１０】
2006294024.tif 000015